(57)【要約】【課題】コモンモードノイズに対して優れたノイズ減衰特性を有するフィルタ素子を提供する。【解決手段】各信号用導電体９ａ，９ｂは、帯状絶縁体７ｂを介して各接地用導電体８ａ，８ｂとそれぞれ対向し、各帯状導電体１０ａ，１０ｂは、帯状絶縁体７ｂを介して各帯状導電体１０ｃ，１０ｄとそれぞれ対向し、帯状導電体１０ａは、一端側において信号用導電体９ａおよび帯状導電体１０ｄと接続され、帯状導電体１０ｂは、一端側において信号用導電体９ｂおよび帯状導電体１０ｃと接続されている。【選択図】図３
2006148499.tif 000002
【特許請求の範囲】
【請求項１】
帯状絶縁体と、当該帯状絶縁体の幅方向において互いに離間した状態で当該帯状絶縁体の一方の面側に並設された一対の第１帯状導電体および一対の第１の導電体と、前記帯状絶縁体の他方の面側に当該帯状絶縁体の幅方向において互いに離間した状態で並設された一対の第２帯状導電体および一対の第２の導電体とを巻回することによって全体として筒状に形成されたコイル部を備え、
前記一対の第１帯状導電体の一方は、前記帯状絶縁体を介して前記一対の第２帯状導電体の一方と対向し、
前記一対の第１帯状導電体の他方は、前記帯状絶縁体を介して前記一対の第２帯状導電体の他方と対向し、
前記一対の第１の導電体の一方は、前記帯状絶縁体を介して前記一対の第２の導電体の一方と対向し、
前記一対の第１の導電体の他方は、前記帯状絶縁体を介して前記一対の第２の導電体の他方と対向し、
前記一方の第１帯状導電体は、一端側において前記一方の第１の導電体の一端側と接続され、
前記他方の第１帯状導電体は、一端側において前記他方の第１の導電体の一端側と接続され、
前記一方の第２の導電体は、前記他方の第１帯状導電体および前記他方の第１の導電体のいずれかと接続され、
前記他方の第２の導電体は、前記一方の第１帯状導電体および前記一方の第１の導電体のいずれかと接続されているフィルタ素子。
【請求項２】
帯状絶縁体と、当該帯状絶縁体の幅方向において互いに離間した状態で当該帯状絶縁体の一方の面側に並設された一対の信号用帯状導電体および一対の第１の導電体と、前記帯状絶縁体の他方の面側に当該帯状絶縁体の幅方向において互いに離間した状態で並設された一対の接地用帯状導電体および一対の第２の導電体とを巻回することによって全体として筒状に形成されたコイル部を備え、
前記一対の信号用帯状導電体の一方は、前記帯状絶縁体を介して前記一対の接地用帯状導電体の一方と対向し、
前記一対の信号用帯状導電体の他方は、前記帯状絶縁体を介して前記一対の接地用帯状導電体の他方と対向し、
前記一対の第１の導電体の一方は、前記帯状絶縁体を介して前記一対の第２の導電体の一方と対向し、
前記一対の第１の導電体の他方は、前記帯状絶縁体を介して前記一対の第２の導電体の他方と対向し、
前記一方の信号用帯状導電体は、一端側において前記一方の第１の導電体の一端側と接続され、
前記他方の信号用帯状導電体は、一端側において前記他方の第１の導電体の一端側と接続され、
前記一方の第２の導電体は、前記他方の信号用帯状導電体および前記他方の第１の導電体のいずれかと接続され、
前記他方の第２の導電体は、前記一方の信号用帯状導電体および前記一方の第１の導電体のいずれかと接続されているフィルタ素子。
【請求項３】
前記一対の信号用帯状導電体は、前記第１の導電体と接続されている前記一端側に出力部位がそれぞれ規定されている請求項２記載のフィルタ素子。
【請求項４】
前記コイル部は、前記一対の信号用帯状導電体の前記一端側を巻始め端として巻回されて形成され、
前記一対の信号用帯状導電体の各外周部に入力部位がそれぞれ規定され、
前記コイル部の中心軸を挟んで前記入力部位に対して反対側に位置する前記一対の接地用帯状導電体の各外周部に接地部位がそれぞれ規定され、
前記各出力部位は、前記コイル部の中心軸を挟んで前記入力部位に対して反対側に位置する前記一対の信号用帯状導電体の各内周部にそれぞれ規定されている請求項３記載のフィルタ素子。
【請求項５】
前記コイル部は、前記一対の信号用帯状導電体の前記一端側を巻始め端として巻回されて形成され、
前記一対の信号用帯状導電体の各外周部に入力部位がそれぞれ規定され、
前記コイル部の中心軸を挟んで前記入力部位に対して反対側に位置する前記一対の接地用帯状導電体の各外周部に接地部位がそれぞれ規定され、
前記各出力部位は、前記コイル部の中心軸を挟んで前記接地部位に対して反対側に位置する前記一対の信号用帯状導電体の各内周部にそれぞれ規定されている請求項３記載のフィルタ素子。
【請求項６】
前記コイル部は、前記一対の信号用帯状導電体の他端側を巻始め端として巻回されて形成され、
前記一対の信号用帯状導電体の各内周部に入力部位がそれぞれ規定され、
前記コイル部の中心軸を挟んで前記入力部位に対して反対側に位置する前記一対の接地用帯状導電体の各内周部に接地部位がそれぞれ規定され、
前記各出力部位は、前記コイル部の中心軸を挟んで前記入力部位に対して反対側に位置する前記一対の信号用帯状導電体の各外周部にそれぞれ規定されている請求項３記載のフィルタ素子。
【請求項７】
前記コイル部は、前記一対の信号用帯状導電体の他端側を巻始め端として巻回されて形成され、
前記一対の信号用帯状導電体の各内周部に入力部位がそれぞれ規定され、
前記コイル部の中心軸を挟んで前記入力部位に対して反対側に位置する前記一対の接地用帯状導電体の各内周部に接地部位がそれぞれ規定され、
前記各出力部位は、前記コイル部の中心軸を挟んで前記接地部位に対して反対側に位置する前記一対の信号用帯状導電体の各外周部にそれぞれ規定されている請求項３記載のフィルタ素子。
【請求項８】
入力端子が前記入力部位に接続され、
出力端子が前記出力部位に接続され、
接地用端子が前記接地部位に接続されている請求項４から７のいずれかに記載のフィルタ素子。
【請求項９】
前記コイル部の中心部に形成された空隙に磁性体が配設されている請求項１から８のいずれかに記載のフィルタ素子。
【発明の詳細な説明】
【技術分野】
【０００１】
本発明は、帯状絶縁体に帯状導電体を重ねた状態で巻回して構成されたフィルタ素子に関するものである。
【背景技術】
【０００２】
この種のフィルタ素子として、特許第２８２６３２０号公報において開示されたフィルタ素子が知られている。このフィルタ素子は、複数枚の帯状導電体（通電用および接地用の帯状導電体）を、高誘電率の誘電体シートを介して、磁性または非磁性巻枠あるいは空心に巻き回して形成されて、３端子型ノイズフィルタ（ノーマルモード型ノイズフィルタ）として機能する。このフィルタ素子では、通電用の帯状導電体の巻始め部と巻き終わり部に接続された一対のリード間にインダクタンスが形成され、しかも通電用の帯状導電体の全長に亘り、接地用の帯状導電体との間にキャパシタンスが分布定数的に形成される。したがって、このフィルタ素子では、広い周波帯域に亘って優れた減衰特性を実現することが可能となっている。
【特許文献１】特許第２８２６３２０号公報（第２頁）
【発明の開示】
【発明が解決しようとする課題】
【０００３】
ところで、近年では、上記のノーマルモード型ノイズフィルタの構成を利用したコモンモード用のノイズフィルタも開発されているが、ノーマルモード型ノイズフィルタと同様にして、このコモンモード用のノイズフィルタに対しても、さらなるノイズ減衰特性の向上が望まれている。
【０００４】
本発明は、上記の要望に鑑みてなされたものであり、コモンモードノイズに対して優れたノイズ減衰特性を有するフィルタ素子を提供することを主目的とする。
【課題を解決するための手段】
【０００５】
上記目的を達成すべく請求項１記載のフィルタ素子は、帯状絶縁体と、当該帯状絶縁体の幅方向において互いに離間した状態で当該帯状絶縁体の一方の面側に並設された一対の第１帯状導電体および一対の第１の導電体と、前記帯状絶縁体の他方の面側に当該帯状絶縁体の幅方向において互いに離間した状態で並設された一対の第２帯状導電体および一対の第２の導電体とを巻回することによって全体として筒状に形成されたコイル部を備え、前記一対の第１帯状導電体の一方は、前記帯状絶縁体を介して前記一対の第２帯状導電体の一方と対向し、前記一対の第１帯状導電体の他方は、前記帯状絶縁体を介して前記一対の第２帯状導電体の他方と対向し、前記一対の第１の導電体の一方は、前記帯状絶縁体を介して前記一対の第２の導電体の一方と対向し、前記一対の第１の導電体の他方は、前記帯状絶縁体を介して前記一対の第２の導電体の他方と対向し、前記一方の第１帯状導電体は、一端側において前記一方の第１の導電体の一端側と接続され、前記他方の第１帯状導電体は、一端側において前記他方の第１の導電体の一端側と接続され、前記一方の第２の導電体は、前記他方の第１帯状導電体および前記他方の第１の導電体のいずれかと接続され、前記他方の第２の導電体は、前記一方の第１帯状導電体および前記一方の第１の導電体のいずれかと接続されている。ここで、本明細書における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。
【０００６】
請求項２記載のフィルタ素子は、帯状絶縁体と、当該帯状絶縁体の幅方向において互いに離間した状態で当該帯状絶縁体の一方の面側に並設された一対の信号用帯状導電体および一対の第１の導電体と、前記帯状絶縁体の他方の面側に当該帯状絶縁体の幅方向において互いに離間した状態で並設された一対の接地用帯状導電体および一対の第２の導電体とを巻回することによって全体として筒状に形成されたコイル部を備え、前記一対の信号用帯状導電体の一方は、前記帯状絶縁体を介して前記一対の接地用帯状導電体の一方と対向し、前記一対の信号用帯状導電体の他方は、前記帯状絶縁体を介して前記一対の接地用帯状導電体の他方と対向し、前記一対の第１の導電体の一方は、前記帯状絶縁体を介して前記一対の第２の導電体の一方と対向し、前記一対の第１の導電体の他方は、前記帯状絶縁体を介して前記一対の第２の導電体の他方と対向し、前記一方の信号用帯状導電体は、一端側において前記一方の第１の導電体の一端側と接続され、前記他方の信号用帯状導電体は、一端側において前記他方の第１の導電体の一端側と接続され、前記一方の第２の導電体は、前記他方の信号用帯状導電体および前記他方の第１の導電体のいずれかと接続され、前記他方の第２の導電体は、前記一方の信号用帯状導電体および前記一方の第１の導電体のいずれかと接続されている。
【０００７】
また、請求項３記載のフィルタ素子は、請求項２記載のフィルタ素子において、前記一対の信号用帯状導電体は、前記第１の導電体と接続されている前記一端側に出力部位がそれぞれ規定されている。
【０００８】
また、請求項４記載のフィルタ素子は、請求項３記載のフィルタ素子において、前記コイル部は、前記一対の信号用帯状導電体の前記一端側を巻始め端として巻回されて形成され、前記一対の信号用帯状導電体の各外周部に入力部位がそれぞれ規定され、前記コイル部の中心軸を挟んで前記入力部位に対して反対側に位置する前記一対の接地用帯状導電体の各外周部に接地部位がそれぞれ規定され、前記各出力部位は、前記コイル部の中心軸を挟んで前記入力部位に対して反対側に位置する前記一対の信号用帯状導電体の各内周部にそれぞれ規定されている。ここで、本明細書における「内周部」とは、信号用帯状導電体または接地用帯状導電体における巻始めの数ターンに含まれる部位をいい、「外周部」とは、信号用帯状導電体または接地用帯状導電体における巻き終わりの数ターンに含まれる部位をいう。
【０００９】
また、請求項５記載のフィルタ素子は、請求項３記載のフィルタ素子において、前記コイル部は、前記一対の信号用帯状導電体の前記一端側を巻始め端として巻回されて形成され、前記一対の信号用帯状導電体の各外周部に入力部位がそれぞれ規定され、前記コイル部の中心軸を挟んで前記入力部位に対して反対側に位置する前記一対の接地用帯状導電体の各外周部に接地部位がそれぞれ規定され、前記各出力部位は、前記コイル部の中心軸を挟んで前記接地部位に対して反対側に位置する前記一対の信号用帯状導電体の各内周部にそれぞれ規定されている。
【００１０】
また、請求項６記載のフィルタ素子は、請求項３記載のフィルタ素子において、前記コイル部は、前記一対の信号用帯状導電体の他端側を巻始め端として巻回されて形成され、前記一対の信号用帯状導電体の各内周部に入力部位がそれぞれ規定され、前記コイル部の中心軸を挟んで前記入力部位に対して反対側に位置する前記一対の接地用帯状導電体の各内周部に接地部位がそれぞれ規定され、前記各出力部位は、前記コイル部の中心軸を挟んで前記入力部位に対して反対側に位置する前記一対の信号用帯状導電体の各外周部にそれぞれ規定されている。
【００１１】
また、請求項７記載のフィルタ素子は、請求項３記載のフィルタ素子において、前記コイル部は、前記一対の信号用帯状導電体の他端側を巻始め端として巻回されて形成され、前記一対の信号用帯状導電体の各内周部に入力部位がそれぞれ規定され、前記コイル部の中心軸を挟んで前記入力部位に対して反対側に位置する前記一対の接地用帯状導電体の各内周部に接地部位がそれぞれ規定され、前記各出力部位は、前記コイル部の中心軸を挟んで前記接地部位に対して反対側に位置する前記一対の信号用帯状導電体の各外周部にそれぞれ規定されている。
【００１２】
また、請求項８記載のフィルタ素子は、請求項４から７のいずれかに記載のフィルタ素子において、入力端子が前記入力部位に接続され、出力端子が前記出力部位に接続され、接地用端子が前記接地部位に接続されている。ここで、本明細書における「端子」とは、棒状の導電体に限らず、可撓性を備えた配線ケーブル、さらには金属箔などの平板状導電体をも含むことを意味する。
【００１３】
また、請求項９記載のフィルタ素子は、請求項１から８のいずれかに記載のフィルタ素子において、前記コイル部の中心部に形成された空隙に磁性体が配設されている。
【発明の効果】
【００１４】
請求項１記載のフィルタ素子では、帯状絶縁体を介して一対の第１帯状導電体の一方を一対の第２帯状導電体の一方と対向させると共に、帯状絶縁体を介して一対の第１帯状導電体の他方を一対の第２帯状導電体の他方と対向させ、帯状絶縁体を介して一対の第１の導電体の一方を一対の第２の導電体の一方と対向させると共に、帯状絶縁体を介して一対の第１の導電体の他方を一対の第２の導電体の他方と対向させ、一方の第１帯状導電体を一端側において一方の第１の導電体の一端側と接続すると共に、他方の第１帯状導電体を一端側において他方の第１の導電体の一端側と接続し、他方の第１帯状導電体および他方の第１の導電体のいずれかと一方の第２の導電体とを接続すると共に、一方の第１帯状導電体および一方の第１の導電体のいずれかと他方の第２の導電体とを接続したことにより、一方の第１の導電体と一方の第２の導電体との間に静電容量の大きなコンデンサが形成されて、このコンデンサは、一対の第１帯状導電体間に接続される。また、他方の第１の導電体と他方の第２の導電体との間に静電容量の大きなコンデンサが形成されて、このコンデンサも一対の第１帯状導電体間に接続される。したがって、このフィルタ素子によれば、一対の第１帯状導電体間に静電容量の大きな２つのコンデンサを接続できるため、一対の第１帯状導電体間の高周波信号に対するインピーダンスを低下させることができ、この結果、広い周波数帯域に亘ってコモンモードノイズを良好に減衰させることができる。
【００１５】
請求項２記載のフィルタ素子では、帯状絶縁体を介して一対の信号用帯状導電体の一方を一対の接地用帯状導電体の一方と対向させると共に、帯状絶縁体を介して一対の信号用帯状導電体の他方を一対の接地用帯状導電体の他方と対向させ、帯状絶縁体を介して一対の第１の導電体の一方を一対の第２の導電体の一方と対向させると共に、帯状絶縁体を介して一対の第１の導電体の他方を一対の第２の導電体の他方と対向させ、一方の信号用帯状導電体を一端側において一方の第１の導電体の一端側と接続すると共に、他方の信号用帯状導電体を一端側において他方の第１の導電体の一端側と接続し、他方の信号用帯状導電体および他方の第１の導電体のいずれかと一方の第２の導電体とを接続すると共に、一方の信号用帯状導電体および一方の第１の導電体のいずれかと他方の第２の導電体とを接続したことにより、一方の第１の導電体と一方の第２の導電体との間に静電容量の大きなコンデンサが形成されて、このコンデンサは、一対の信号用帯状導電体間に接続される。また、他方の第１の導電体と他方の第２の導電体との間に静電容量の大きなコンデンサが形成されて、このコンデンサも一対の信号用帯状導電体間に接続される。したがって、このフィルタ素子によれば、一対の信号用帯状導電体間に静電容量の大きな２つのコンデンサを接続できるため、一対の信号用帯状導電体間の高周波信号に対するインピーダンスを低下させることができ、この結果、広い周波数帯域に亘ってコモンモードノイズを良好に減衰させることができる。
【００１６】
また、請求項３記載のフィルタ素子によれば、一対の信号用帯状導電体における第１の導電体と接続された一端側を出力部位としたことにより、各信号用帯状導電体における各帯状導電体と相互接続されていない端部側を出力部位とする構成と比較して、インピーダンスのバランスを崩れにくくすることができる結果、広い周波数帯域に亘ってノイズ成分を一層良好に減衰させることができる。したがって、例えば、このフィルタ素子をスイッチング電源における交流入力段のノイズフィルタとして使用することにより、スイッチング電源の出力インピーダンスが時間的に変動したり、負荷のインピーダンスが変動したりした場合においても、コモンモードノイズを安定して良好に減衰させることができる。
【００１７】
また、請求項４，５，６，７記載のフィルタ素子によれば、一対の信号用帯状導電体の一端側または他端側を巻始め端としてコイル部を形成すると共に、一対の信号用帯状導電体についての入力部位および出力部位と、接地用帯状導電体についての接地部位とを上記のように規定したことにより、所定の周波数帯域において大きな減衰量を確保することができる結果、優れた減衰特性を有するコモンモード用のフィルタ素子を実現することができる。
【００１８】
また、請求項８記載のフィルタ素子によれば、入力部位に入力端子を接続し、出力部位に出力端子を接続し、接地部位に接地用端子したことにより、各端子を使用してフィルタ素子を電源装置などに容易に実装することができる。
【００１９】
また、請求項９記載のフィルタ素子によれば、コイル部の中心部に形成された空隙に磁性体を配設したことにより、接地用帯状導電体および信号用帯状導電体の結合度合いや分布インダクタンスの値を向上させることができるため、減衰特性を向上させることができる。
【発明を実施するための最良の形態】
【００２０】
以下、添付図面を参照して、本発明に係るフィルタ素子の最良の形態について説明する。
【００２１】
（第１の最良の形態）
最初に、本形態に係るフィルタ素子１について、図１，２，３を参照して説明する。
【００２２】
フィルタ素子１は、図１，３に示すように、一対の入力端子２ａ，２ｂ（以下、特に区別しないときには「入力端子２」ともいう）、入力端子２と同数の出力端子３ａ，３ｂ（以下、特に区別しないときには「出力端子３」ともいう）、接地用端子４、コイル部５および柱状（一例として円柱状）の磁性体（磁性コア）６を備えて構成されて、分布定数型のノイズフィルタ（低域通過型のコモンモードフィルタ）として機能する。
【００２３】
コイル部５は、図３に示すように、２つの帯状絶縁体７ａ，７ｂ（以下、特に区別しないときは「帯状絶縁体７」ともいう）、入力端子２と同数（２本）の接地用帯状導電体８ａ，８ｂ（本発明における第２帯状導電体に相当し、以下、「接地用導電体８ａ，８ｂ」ともいい、特に区別しないときには「接地用導電体８」ともいう）、入力端子２と同数（２本）の信号用帯状導電体９ａ，９ｂ（本発明における第１帯状導電体に相当し、以下、「信号用導電体９ａ，９ｂ」ともいい、特に区別しないときには「信号用導電体９」ともいう）、および入力端子２の２倍の数（４本）の導電体１０ａ，１０ｂ，１０ｃ，１０ｄを備えて構成されている。この場合、各帯状絶縁体７ａ，７ｂは、例えば、誘電性および電気的絶縁性を有する材料（ポリイミド、ポリエチレン、絶縁紙など）を用いて、同じ幅、同じ長さで、かつ均一な厚みに構成されている。各導電体１０ａ，１０ｂ（本発明における第１の導電体）と各導電体１０ｃ，１０ｄ（本発明における第２の導電体）とは、一例として、同じ幅、同じ長さで、かつ均一な厚みの帯状（長尺な長方形）に形成されている。したがって、以下では、各導電体１０ａ〜１０ｄを「帯状導電体１０ａ〜１０ｄ」ともいい、特に区別しないときには「帯状導電体１０」ともいう。各接地用導電体８は、一例として、同じ幅、同じ長さで、かつ均一な厚みに形成されている。各信号用導電体９も、一例として、同じ幅、同じ長さで、かつ均一な厚みに形成されている。
【００２４】
各接地用導電体８および各帯状導電体１０ｃ，１０ｄは、図３に示すように、帯状絶縁体７ａの幅方向において互いに離間して、かつ平行な状態で、帯状絶縁体７ａの上面に並設されている。また、各帯状導電体１０ｃ，１０ｄは、相互間で各接地用導電体８を挟むようにして配設されている。帯状絶縁体７ｂは、帯状絶縁体７ａとの間で各接地用導電体８および各帯状導電体１０ｃ，１０ｄを挟み込むようにして帯状絶縁体７ａの上に重ねられている。各信号用導電体９および各帯状導電体１０ａ，１０ｂは、帯状絶縁体７ｂの幅方向において互いに離間して、かつ平行な状態で、帯状絶縁体７ｂの上面に並設されている。この場合、各信号用導電体９のうちの一方の信号用導電体９ａは帯状絶縁体７ｂを介して各接地用導電体８のうちの一方の接地用導電体８ａと対向し、各信号用導電体９のうちの他方の信号用導電体９ｂは帯状絶縁体７ｂを介して各接地用導電体８のうちの他方の接地用導電体８ｂと対向するように配設されている。また、各帯状導電体１０ａ，１０ｂのうちの一方の帯状導電体１０ａは帯状絶縁体７ｂを介して各帯状導電体１０ｃ，１０ｄのうちの一方の帯状導電体１０ｃと対向し、各帯状導電体１０ａ，１０ｂのうちの他方の帯状導電体１０ｂは帯状絶縁体７ｂを介して各帯状導電体１０ｃ，１０ｄのうちの他方の帯状導電体１０ｄと対向するように配設されている。この構成により、帯状絶縁体７ｂを基準としたときに、各信号用導電体９および各帯状導電体１０ａ，１０ｂは、帯状絶縁体７ｂの表面（本発明における帯状絶縁体の一方の面）側に並設され、各接地用導電体８および各帯状導電体１０ｃ，１０ｄは、帯状絶縁体７ｂの裏面（本発明における帯状絶縁体の他方の面）側に並設されている。
【００２５】
また、各接地用導電体８は、図３に示すように、一例として、最外周部となる巻き終わり端側（同図中の左端側）において互いに接続されると共に、この各巻き終わり端側に接地部位Ｃがそれぞれ規定されている。また、各接地用導電体８の接地部位Ｃには、接地用端子４の一端側が電気的にそれぞれ接続されている。各信号用導電体９ａ，９ｂは、一例として、最外周部となる巻き終わり端側（同図中の左端側であって、本発明における他端側）にそれぞれ規定された入力部位Ａに入力端子２ａ，２ｂの一端側が電気的にそれぞれ接続されると共に、最内周部となる巻始め端側（同図中の右端側であって、本発明における一端側）にそれぞれ規定された出力部位Ｂに出力端子３ａ，３ｂの一端側が電気的にそれぞれ接続されている。また、各信号用導電体９ａ，９ｂのうちの一方（信号用導電体９ａ）の巻始め端側は、各帯状導電体１０ａ，１０ｂのうちの一方（帯状導電体１０ａ）の巻始め端側（本発明における一端側であって、同図中の右端側）と電気的に接続されている。また、各信号用導電体９ａ，９ｂのうちの他方（信号用導電体９ｂ）の巻始め端側（本発明における一端側であって、同図中の右端側）は、各帯状導電体１０ａ，１０ｂのうちの他方（帯状導電体１０ｂ）の巻始め端側（本発明における一端側であって、同図中の右端側）と電気的に接続されている。また、帯状導電体１０ｃは、対向する帯状導電体１０ａと異なる電位の信号用導電体９ｂおよび帯状導電体１０ｂのいずれかと接続されている。本例では、帯状導電体１０ｃは、一例として帯状導電体１０ｂと接続されている。また、帯状導電体１０ｄは、対向する帯状導電体１０ｂと異なる電位の信号用導電体９ａおよび帯状導電体１０ａのいずれかと接続されている。本例では、帯状導電体１０ｄは、一例として帯状導電体１０ａと接続されている。したがって、帯状導電体１０ａと帯状導電体１０ｃとの間に静電容量の大きなコンデンサが形成されて、このコンデンサは、信号用導電体９ａ，９ｂ間に接続される。また、帯状導電体１０ｂと帯状導電体１０ｄとの間に静電容量の大きなコンデンサが形成されて、このコンデンサは、信号用導電体９ａ，９ｂ間に接続される。この結果、信号用導電体９ａ，９ｂ間に２つの静電容量の大きなコンデンサが接続されるため、両信号用導電体９ａ，９ｂ間のインピーダンスは低下する。
【００２６】
コイル部５は、上記のように互いに重ねられた各帯状絶縁体７および各導電体８，９，１０を、図３において矢印で示すように、各導電体８，９，１０における同図中の右端側（一端側）を巻き始めとして、かつ各信号用導電体９に対して各接地用導電体８が外側になるように巻回することにより、図１に示すように、全体として筒状（中心部に空隙Ｈが形成された円筒状）に形成されている。磁性コア６は、この空隙Ｈ内に装着されて、コイル部５の中心部に配設されている。
【００２７】
この場合、各信号用導電体９の入力部位Ａは、コイル部５を一方の端面（図１中の上端面）側から見たときに、図２に示すようにコイル部５の外周側部位に位置している。また、各信号用導電体９の入力部位Ａにそれぞれ接続された各入力端子２は、図１に示すように、コイル部５の一方の端面（同図中の上端面）における外周側部位から他端側が引き出されている。このため、コイル部５を一方の端面側から見た状態において、各信号用導電体９の入力部位Ａと各入力端子２の引出し部位とはほぼ一致する。したがって、以下では、各入力端子２の引出し部位を「引出し部位Ａ」ともいう。一方、各信号用導電体９の出力部位Ｂは、コイル部５を一方の端面側から見たときに、図２に示すようにコイル部５の内周側部位にそれぞれ位置している。また、各信号用導電体９の出力部位Ｂに接続された各出力端子３は、図１に示すように、コイル部５の一方の端面における内周側部位から他端側が引き出されている。このため、コイル部５を一方の端面側から見た状態において、各信号用導電体９の出力部位Ｂと各出力端子３の引出し部位とはほぼ一致する。したがって、以下では、出力端子３の引出し部位を「引出し部位Ｂ」ともいう。ここで、各信号用導電体９の出力部位Ｂ（つまり出力端子３の引出し部位）は、図２に示すように、コイル部５の中心軸Ｏと各信号用導電体９の入力部位Ａ（つまり入力端子２の引出し部位）とを含む仮想平面Ｌ（以下、「平面Ｌ」ともいう）上であって、中心軸Ｏ（または磁性コア６）を挟んで入力部位Ａに対して反対側に設定されている。また、各接地用導電体８の接地部位Ｃは、コイル部５を一方の端面側から見たときに、図２に示すようにコイル部５の外周側部位に位置している。また、各接地用導電体８の接地部位Ｃに接続された接地用端子４は、図１に示すように、コイル部５の一方の端面における外周側部位から他端側が引き出されている。このため、コイル部５を一方の端面側から見た状態において、各接地用導電体８の接地部位Ｃと接地用端子４の引出し部位とはほぼ一致する。したがって、以下では、接地用端子４の引出し部位を「引出し部位Ｃ」ともいう。具体的には、各接地用導電体８の接地部位Ｃは、図２に示すように、平面Ｌ上であって、コイル部５の中心軸Ｏを挟んで各入力部位Ａに対して反対側に設定されている。ここで、本明細書における入力端子２等の「引出し部位」とは、入力端子２等がコイル部５から突出するコイル部５の表面における部位をいう。したがって、コイル部５がポットコア（磁性体）等に収容されて、ポットコアから入力端子２等が引き出される部位と、コイル部５から入力端子２等が引き出される部位とが相違する構成においても、コイル部５から引き出される部位が、入力端子２等の「引出し部位」となる。同様にして、コイル部５から引き出した入力端子２等をボビンの足に接続するときにおいても、コイル部５から引き出される部位が、入力端子２等の「引出し部位」となる。したがって、ボビンの足を平面Ｌ上に配設する必要はなく、任意の位置にボビンの足を配設することができる。
【００２８】
このフィルタ素子１によれば、帯状絶縁体７ｂを介して各帯状導電体１０ｃ，１０ｄとそれぞれ対向するように各帯状導電体１０ａ，１０ｂを配設し、信号用導電体９ａおよび帯状導電体１０ａの各巻始め端側を相互に接続すると共に、信号用導電体９ｂおよび帯状導電体１０ｂの各巻始め端側を相互に接続し、かつ各帯状導電体１０ａ，１０ｂに各帯状導電体１０ｄ，１０ｃをそれぞれ相互接続したことにより、帯状導電体１０ａ，１０ｃおよび帯状導電体１０ｂ，１０ｄによってそれぞれ形成される静電容量の大きな２つのコンデンサを各信号用導電体９ａ，９ｂ間に接続することができる。したがって、各信号用導電体９ａ，９ｂ間の高周波信号に対するインピーダンスを低下させることができるため、広い周波数帯域に亘ってコモンモードノイズを良好に減衰させることができる。また、各信号用導電体９ａ，９ｂにおける各帯状導電体１０ａ，１０ｂと相互接続された端部側に出力部位Ｂを規定したことにより、各信号用導電体９ａ，９ｂにおける各帯状導電体１０ａ，１０ｂと相互接続されていない端部側に出力部位Ｂを規定する構成と比較して、インピーダンスのバランスを崩れにくくすることができる結果、広い周波数帯域に亘ってノイズ成分を一層良好に減衰させることができる。したがって、例えば、図１４に示すように、このフィルタ素子１をスイッチング電源における交流入力段のノイズフィルタとして使用することにより、スイッチング電源の出力インピーダンスが時間的に変動したり、負荷のインピーダンスが変動したりした場合においても、コモンモードノイズを安定して良好に減衰させることができる。
【００２９】
また、このフィルタ素子１によれば、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の位置を上記のように規定したことにより、所定の周波数帯域において大きな減衰量を確保することができる結果、優れた減衰特性を有するコモンモード用のフィルタ素子を実現することができる。また、フィルタ素子１によれば、各入力部位Ａに各入力端子２を接続し、各出力部位Ｂに各出力端子３を接続し、各接地部位Ｃに接地用端子を接続したことにより、各端子２，３，４を使用してフィルタ素子１を電源装置などに容易に実装することができる。
【００３０】
（第２の最良の形態）
次に、本形態に係るフィルタ素子１１の構成について、図４〜図６を参照して説明する。なお、フィルタ素子１と同一の構成については同一の符号を付して、重複する説明を省略する。
【００３１】
フィルタ素子１１は、図４に示すように、一対の入力端子２ａ，２ｂ、一対の出力端子３ａ，３ｂ、接地用端子４、コイル部１５および磁性コア６を備えて構成されて、分布定数型のノイズフィルタ（低域通過型のコモンモードフィルタ）として機能する。
【００３２】
コイル部１５は、図６に示すように、帯状絶縁体７ａ，７ｂ、接地用導電体８ａ，８ｂ、信号用導電体９ａ，９ｂ、および帯状導電体１０ａ，１０ｂ，１０ｃ，１０ｄを備えて構成されている。
【００３３】
各信号用導電体９および各帯状導電体１０ａ，１０ｂは、図６に示すように、帯状絶縁体７ａの幅方向において互いに離間して、かつ平行な状態で、帯状絶縁体７ａの上面に並設されている。また、各帯状導電体１０ａ，１０ｂは、相互間で各信号用導電体９を挟むようにして配設されている。帯状絶縁体７ｂは、帯状絶縁体７ａとの間で各信号用導電体９および各帯状導電体１０ａ，１０ｂを挟み込むようにして帯状絶縁体７ａの上に重ねられている。各接地用導電体８および各帯状導電体１０ｃ，１０ｄは、帯状絶縁体７ｂの幅方向において互いに離間して、かつ平行な状態で、帯状絶縁体７ｂの上面に並設されている。この場合、接地用導電体８ａは帯状絶縁体７ｂを介して信号用導電体９ａと対向し、接地用導電体８ｂは帯状絶縁体７ｂを介して信号用導電体９ｂと対向するように配設されている。また、帯状導電体１０ｃは帯状絶縁体７ｂを介して帯状導電体１０ａと対向し、帯状導電体１０ｄは帯状絶縁体７ｂを介して帯状導電体１０ｂと対向するように配設されている。この構成により、帯状絶縁体７ｂを基準としたときに、各信号用導電体９および各帯状導電体１０ａ，１０ｂは、帯状絶縁体７ｂの裏面（本発明における帯状絶縁体の一方の面）側に並設され、各接地用導電体８および各帯状導電体１０ｃ，１０ｄは、帯状絶縁体７ｂの表面（本発明における帯状絶縁体の他方の面）側に並設されている。
【００３４】
また、各接地用導電体８は、図６に示すように、一例として、最内周部となる巻始め端側（同図中の左端側）において互いに接続されると共に、各巻始め端側に接地部位Ｃがそれぞれ規定されている。また、各接地用導電体８の接地部位Ｃには、接地用端子４の一端側が電気的にそれぞれ接続されている。各信号用導電体９ａ，９ｂは、一例として、最内周部となる巻始め端側（同図中の左端側であって、本発明における他端側）にそれぞれ規定された入力部位Ａに入力端子２ａ，２ｂの一端側が電気的にそれぞれ接続されると共に、最外周部となる巻き終わり端側（同図中の右端側であって、本発明における一端側）にそれぞれ規定された出力部位Ｂに出力端子３ａ，３ｂの一端側が電気的にそれぞれ接続されている。また、各信号用導電体９ａ，９ｂのうちの一方（信号用導電体９ａ）の巻き終わり端側は、各帯状導電体１０ａ，１０ｂのうちの一方（帯状導電体１０ａ）の巻き終わり端側（本発明における一端側であって、図６中の右端側）と電気的に接続されている。また、各信号用導電体９ａ，９ｂのうちの他方（信号用導電体９ｂ）の巻き終わり端側（本発明における一端側）は、各帯状導電体１０ａ，１０ｂのうちの他方（帯状導電体１０ｂ）の巻き終わり端側（本発明における一端側であって、図６中の右端側）と電気的に接続されている。また、帯状導電体１０ｃは、対向する帯状導電体１０ａと異なる電位の信号用導電体９ｂおよび帯状導電体１０ｂのいずれかと接続されている。本例では、帯状導電体１０ｃは、一例として帯状導電体１０ｂと接続されている。同様にして、帯状導電体１０ｄは、対向する帯状導電体１０ｂと異なる電位の信号用導電体９ａおよび帯状導電体１０ａのいずれかと接続されている。本例では、帯状導電体１０ｄは、一例として帯状導電体１０ａと接続されている。したがって、このフィルタ素子１１でも、フィルタ素子１と同様にして、帯状導電体１０ａと帯状導電体１０ｃとの間に静電容量の大きなコンデンサが形成されて、このコンデンサは、信号用導電体９ａ，９ｂ間に接続される。また、帯状導電体１０ｂと帯状導電体１０ｄとの間に静電容量の大きなコンデンサが形成されて、このコンデンサは、信号用導電体９ａ，９ｂ間に接続される。この結果、信号用導電体９ａ，９ｂ間に２つの静電容量の大きなコンデンサが接続されるため、両信号用導電体９ａ，９ｂ間のインピーダンスは低下する。
【００３５】
コイル部１５は、上記のように互いに重ねられた各帯状絶縁体７ａ，７ｂ、および各導電体８，９，１０を、図６において矢印で示すように、各導電体８，９，１０における同図中の左端側（他端側）を巻き始めとして、かつ各信号用導電体９に対して各接地用導電体８が内側になるように巻回することにより、図４に示すように、全体として中心部に空隙Ｈが形成された円筒状に形成されている。磁性コア６は、この空隙Ｈ内に装着されて、コイル部１５の中心部に配設されている。
【００３６】
この場合、各信号用導電体９の入力部位Ａは、コイル部１５を一方の端面（図４中の上端面）側から見たときに、図５に示すようにコイル部１５の内周側部位に位置している。また、各信号用導電体９の入力部位Ａにそれぞれ接続された各入力端子２は、図４に示すように、コイル部１５の一方の端面（同図中の上端面）における内周側部位から他端側が引き出されている。このため、コイル部１５を一方の端面側から見た状態において、各信号用導電体９の入力部位Ａと各入力端子２の引出し部位とはほぼ一致する。したがって、以下では、各入力端子２の引出し部位を「引出し部位Ａ」ともいう。一方、各信号用導電体９の出力部位Ｂは、コイル部１５を一方の端面側から見たときに、図５に示すようにコイル部１の外周側部位にそれぞれ位置している。また、各信号用導電体９の出力部位Ｂに接続された各出力端子３は、図４に示すように、コイル部１５の一方の端面における外周側部位から他端側が引き出されている。このため、コイル部１５を一方の端面側から見た状態において、各信号用導電体９の出力部位Ｂと各出力端子３の引出し部位とはほぼ一致する。したがって、以下では、出力端子３の引出し部位を「引出し部位Ｂ」ともいう。ここで、各信号用導電体９の出力部位Ｂ（つまり出力端子３の引出し部位）は、図５に示すように、コイル部１５の中心軸Ｏと入力部位Ａ（つまり各入力端子２の引出し部位）とを含む平面Ｌ上であって、中心軸Ｏ（または磁性コア６）を挟んで入力部位Ａに対して反対側に設定されている。また、各接地用導電体８の接地部位Ｃは、コイル部１５を一方の端面（図４中の上端面）側から見たときに、図５に示すようにコイル部１５の内周側部位に位置している。また、各接地用導電体８の接地部位Ｃに接続された接地用端子４は、図４に示すように、コイル部１５の一方の端面における内周側部位から他端側が引き出されている。このため、コイル部１５を一方の端面側から見た状態において、各接地用導電体８の接地部位Ｃと接地用端子４の引出し部位とはほぼ一致する。したがって、以下では、接地用端子４の引出し部位を「引出し部位Ｃ」ともいう。具体的には、各接地用導電体８の引出し部位Ｃは、図５に示すように、平面Ｌ上であって、コイル部１５の中心軸Ｏを挟んで入力部位Ａに対して反対側に設定されている。
【００３７】
このフィルタ素子１１によれば、帯状絶縁体７ｂを介して各帯状導電体１０ｃ，１０ｄとそれぞれ対向するように各帯状導電体１０ａ，１０ｂを配設し、信号用導電体９ａおよび帯状導電体１０ａの各巻き終わり端側を相互に接続すると共に、信号用導電体９ｂおよび帯状導電体１０ｂの各巻き終わり端側を相互に接続し、かつ各帯状導電体１０ａ，１０ｂに各帯状導電体１０ｄ，１０ｃをそれぞれ相互接続したことにより、フィルタ素子１と同様にして、帯状導電体１０ａ，１０ｃおよび帯状導電体１０ｂ，１０ｄによってそれぞれ形成される静電容量の大きな２つのコンデンサを各信号用導電体９ａ，９ｂ間に接続することができる。したがって、各信号用導電体９ａ，９ｂ間の高周波信号に対するインピーダンスを低下させることができるため、広い周波数帯域に亘ってコモンモードノイズを良好に減衰させることができる。また、各信号用導電体９ａ，９ｂにおける各帯状導電体１０ａ，１０ｂと相互接続された端部側に出力部位Ｂを規定したことにより、各信号用導電体９ａ，９ｂにおける各帯状導電体１０ａ，１０ｂと相互接続されていない端部側に出力部位Ｂを規定する構成と比較して、インピーダンスのバランスを崩れにくくすることができる結果、広い周波数帯域に亘ってノイズ成分を一層良好に減衰させることができる。したがって、例えば、図１４に示すように、このフィルタ素子１１をスイッチング電源における交流入力段のノイズフィルタとして使用することにより、スイッチング電源の出力インピーダンスが時間的に変動したり、負荷のインピーダンスが変動したりした場合においても、コモンモードノイズを安定して良好に減衰させることができる。
【００３８】
また、このフィルタ素子１１によれば、信号用導電体９の入力部位Ａ（各入力端子２の引出し部位）、信号用導電体９の出力部位Ｂ（各出力端子３の引出し部位）、および接地用導電体８の接地部位Ｃ（接地用端子４の引出し部位）の位置を上記のように規定したことにより、所定の周波数帯域において大きな減衰量を確保することができる結果、優れた減衰特性を有するコモンモード用のフィルタ素子を実現することができる。
【００３９】
なお、本発明は、上記した構成に限定されない。例えば、上述した各フィルタ素子１，１１では、各信号用導電体９の出力部位Ｂをそれぞれ図２，５に示すように中心軸Ｏを挟んで各信号用導電体９の入力部位Ａに対して反対側に位置するように規定したが、図７，９に示す各フィルタ素子２１，３１のように、中心軸Ｏを基準として各入力部位Ａと同じ側に位置するように各出力部位Ｂを規定することもできる。以下、具体的に、各フィルタ素子２１，３１について説明する。
【００４０】
（第３の最良の形態）
次に、本形態に係るフィルタ素子２１について、図３，７，８を参照して説明する。なお、フィルタ素子２１は、各出力端子３についての引出し部位Ｂの配置以外の構成はフィルタ素子１の構成と同一のため、フィルタ素子１と同一の構成については同一の符号を付して、重複する説明を省略する。
【００４１】
フィルタ素子２１は、図７に示すように、一対の入力端子２ａ，２ｂ、一対の出力端子３ａ，３ｂ、接地用端子４、コイル部２５および磁性コア６を備えて構成されて、分布定数型のノイズフィルタ（低域通過型のコモンモードフィルタ）として機能する。
【００４２】
コイル部２５は、図３に示すように、帯状絶縁体７ａ，７ｂ、接地用導電体８ａ，８ｂ、信号用導電体９ａ，９ｂ、および帯状導電体１０ａ，１０ｂ，１０ｃ，１０ｄを備えている。各帯状絶縁体７等は、同図に示すように、コイル部５の構成と同様にして、互いに重ねられている。また、各接地用導電体８には接地用端子４が、また各信号用導電体９ａ，９ｂには各入力端子２ａ，２ｂおよび各出力端子３ａ，３ｂが、コイル部５の構成と同様にして、それぞれ接続されている。また、帯状導電体１０ｃは帯状導電体１０ｂと接続され、帯状導電体１０ｄは帯状導電体１０ａと接続されている。
【００４３】
コイル部２５は、上記のように互いに重ねられた各帯状絶縁体７ａ，７ｂ、および各導電体８，９，１０を、図３において矢印で示すように、各導電体８，９，１０における同図中の右端側（一端側）を巻き始めとして、かつ各信号用導電体９に対して各接地用導電体８が外側になるように巻回することにより、図７に示すように、全体として中心部に空隙Ｈが形成された円筒状に形成されている。磁性コア６は、この空隙Ｈ内に装着されて、コイル部１５の中心部に配設されている。
【００４４】
この場合、各信号用導電体９の最外周部に規定された入力部位Ａは、コイル部２５を一方の端面（図７中の上端面）側から見たときに、図８に示すように、コイル部２５の外周側部位に位置している。また、各信号用導電体９の入力部位Ａにそれぞれ接続された各入力端子２は、図７に示すように、コイル部２５の一方の端面（同図中の上端面）における外周側部位から他端側が引き出されている。このため、コイル部２５を一方の端面側から見た状態において、各信号用導電体９の入力部位Ａと各入力端子２の引出し部位とはほぼ一致する。一方、接地用導電体８の最外周部に規定された接地部位Ｃは、コイル部２５を一方の端面側から見たときに、図８に示すようにコイル部２５の外周側部位に位置している。また、各接地用導電体８の接地部位Ｃに接続された接地用端子４は、図７に示すように、コイル部２５の一方の端面における外周側部位から他端側が引き出されている。このため、コイル部２５を一方の端面側から見た状態において、各接地用導電体８の接地部位Ｃと接地用端子４の引出し部位とはほぼ一致する。ここで、各接地用導電体８の接地部位Ｃ（つまり接地用端子４の引出し部位）は、図８に示すように、コイル部２５の中心軸Ｏと各入力部位Ａ（つまり各入力端子２の引出し部位）とを含む平面Ｌ上であって、中心軸Ｏを挟んで各入力部位Ａに対して反対側に設定されている。また、各信号用導電体９の最内周部に規定された出力部位Ｂは、コイル部２５を一方の端面側から見たときに、図８に示すようにコイル部２５の内周側部位（中心側）にそれぞれ位置している。また、各信号用導電体９の出力部位Ｂに接続された各出力端子３は、図７に示すように、コイル部２５の一方の端面における内周側部位（中心側）から他端側がそれぞれ引き出されている。このため、コイル部２５を一方の端面側から見た状態において、各信号用導電体９の出力部位Ｂと各出力端子３の引出し部位とはほぼ一致する。ここで、各信号用導電体９の出力部位Ｂ（つまり出力端子３の引出し部位）は、図８に示すように、コイル部５とは異なり、平面Ｌ上であって、中心軸Ｏを挟んで接地部位Ｃに対して反対側に設定されている。つまり、各信号用導電体９の出力部位Ｂは、中心軸Ｏを基準として各入力部位Ａ（各入力端子２の引出し部位）と同じ側に位置している。
【００４５】
（第４の最良の形態）
次に、本形態に係るフィルタ素子３１について、図６，９，１０を参照して説明する。なお、フィルタ素子３１は、各出力端子３についての引出し部位Ｂの配置以外の構成はフィルタ素子１１の構成と同一のため、フィルタ素子１１と同一の構成については同一の符号を付して、重複する説明を省略する。
【００４６】
フィルタ素子３１は、図９に示すように、一対の入力端子２ａ，２ｂ、一対の出力端子３ａ，３ｂ、接地用端子４、コイル部３５および磁性コア６を備えて構成されて、分布定数型のノイズフィルタ（低域通過型のコモンモードフィルタ）として機能する。
【００４７】
コイル部３５は、図６に示すように、帯状絶縁体７ａ，７ｂ、接地用導電体８ａ，８ｂ、信号用導電体９ａ，９ｂ、および帯状導電体１０ａ，１０ｂ，１０ｃ，１０ｄを備えている。各帯状絶縁体７等は、同図に示すように、コイル部１５の構成と同様にして、互いに重ねられている。また、各接地用導電体８には接地用端子４が、また各信号用導電体９ａ，９ｂには各入力端子２ａ，２ｂおよび各出力端子３ａ，３ｂが、コイル部１５の構成と同様にして、それぞれ接続されている。また、帯状導電体１０ｃは帯状導電体１０ｂと接続され、帯状導電体１０ｄは帯状導電体１０ａと接続されている。
【００４８】
コイル部３５は、上記のように互いに重ねられた各帯状絶縁体７ａ，７ｂ、および各導電体８，９，１０を、図６において矢印で示すように、各導電体８，９，１０における同図中の左端側（他端側）を巻き始めとして、かつ各信号用導電体９に対して各接地用導電体８が内側になるように巻回することにより、図９に示すように、全体として中心部に空隙Ｈが形成された円筒状に形成されている。磁性コア６は、この空隙Ｈ内に装着されて、コイル部３５の中心部に配設されている。
【００４９】
この場合、各信号用導電体９の最内周部に規定された入力部位Ａは、コイル部３５を一方の端面（図９中の上端面）側から見たときに、図１０に示すように、コイル部３５の内周側部位に位置している。また、各信号用導電体９の入力部位Ａにそれぞれ接続された各入力端子２は、図９に示すように、コイル部３５の一方の端面における内周側部位から他端側が引き出されている。このため、コイル部３５を一方の端面側から見た状態において、各信号用導電体９の入力部位Ａと各入力端子２の引出し部位とはほぼ一致する。一方、接地用導電体８の最内周部に規定された接地部位Ｃは、コイル部３５を一方の端面側から見たときに、図１０に示すようにコイル部３５の内周側部位に位置している。また、各接地用導電体８の接地部位Ｃに接続された接地用端子４は、図９に示すように、コイル部３５の一方の端面における内周側部位から他端側が引き出されている。このため、コイル部３５を一方の端面側から見た状態において、各接地用導電体８の接地部位Ｃと接地用端子４の引出し部位とはほぼ一致する。ここで、各接地用導電体８の接地部位Ｃ（つまり接地用端子４の引出し部位）は、図１０に示すように、コイル部３５の中心軸Ｏと各入力部位Ａ（つまり各入力端子２の引出し部位）とを含む平面Ｌ上であって、中心軸Ｏを挟んで各入力部位Ａに対して反対側に設定されている。また、各信号用導電体９の最外周部に規定された出力部位Ｂは、コイル部３５を一方の端面側から見たときに、図１０に示すようにコイル部３５の外周側部位にそれぞれ位置している。また、各信号用導電体９の出力部位Ｂに接続された各出力端子３は、図９に示すように、コイル部３５の一方の端面における外周側部位から他端側がそれぞれ引き出されている。このため、コイル部３５を一方の端面側から見た状態において、各信号用導電体９の出力部位Ｂと各出力端子３の引出し部位とはほぼ一致する。ここで、各信号用導電体９の出力部位Ｂ（つまり出力端子３の引出し部位）は、図１０に示すように、コイル部１５とは異なり、平面Ｌ上であって、中心軸Ｏを挟んで接地部位Ｃに対して反対側に設定されている。つまり、各信号用導電体９の出力部位Ｂは、中心軸Ｏを基準として各入力部位Ａ（各入力端子２の引出し部位）と同じ側に位置している。
【００５０】
なお、本発明は、上記した構成に限定されない。例えば、上述した各フィルタ素子１，１１，２１，３１では、図３，６に示すように、各信号用導電体９ａ，９ｂを同じ帯状絶縁体７ｂ上に並設した一対の帯状導電体１０ａ，１０ｂで挟むようにして配設したが、各信号用導電体９ａ，９ｂと各帯状導電体１０ａ，１０ｂの位置を入れ替えることにより、各帯状導電体１０ａ，１０ｂを挟むように各信号用導電体９ａ，９ｂを配設することもできる。以下、具体的に、各フィルタ素子１，１１，２１，３１をベースとして、各信号用導電体９ａ，９ｂと各帯状導電体１０ａ，１０ｂの位置を入れ替えた各フィルタ素子４１，５１，６１，７１について説明する。
【００５１】
（第５の最良の形態）
次に、本形態に係るフィルタ素子４１について、図１，２，１１を参照して説明する。なお、フィルタ素子４１はフィルタ素子１をベースとしているため、多くの構成がフィルタ素子１の構成と共通する。したがって、フィルタ素子１と同一の構成については同一の符号を付して、重複する説明を省略する。
【００５２】
フィルタ素子４１は、図１に示すように、一対の入力端子２ａ，２ｂ、一対の出力端子３ａ，３ｂ、接地用端子４、コイル部４５および磁性コア６を備えて構成されて、分布定数型のノイズフィルタ（低域通過型のコモンモードフィルタ）として機能する。
【００５３】
コイル部４５は、図１１に示すように、帯状絶縁体７ａ，７ｂ、接地用導電体８ａ，８ｂ、信号用導電体９ａ，９ｂ、および帯状導電体１０ａ，１０ｂ，１０ｃ，１０ｄを備えている。各接地用導電体８および各帯状導電体１０ｃ，１０ｄは、帯状絶縁体７ａの幅方向において互いに離間して、かつ平行な状態で、帯状絶縁体７ａの上面に並設されている。また、各接地用導電体８は、相互間で各帯状導電体１０ｃ，１０ｄを挟むようにして配設されている。帯状絶縁体７ｂは、帯状絶縁体７ａとの間で各接地用導電体８および各帯状導電体１０ｃ，１０ｄを挟み込むようにして帯状絶縁体７ａの上に重ねられている。各信号用導電体９および各帯状導電体１０ａ，１０ｂは、帯状絶縁体７ｂの幅方向において互いに離間して、かつ平行な状態で、帯状絶縁体７ｂの上面に並設されている。この場合、信号用導電体９ａは帯状絶縁体７ｂを介して接地用導電体８ａと対向し、信号用導電体９ｂは帯状絶縁体７ｂを介して接地用導電体８ｂと対向するように配設されている。また、帯状導電体１０ａは帯状絶縁体７ｂを介して帯状導電体１０ｃと対向し、帯状導電体１０ｂは帯状絶縁体７ｂを介して帯状導電体１０ｄと対向するように配設されている。また、各接地用導電体８の接地部位Ｃには接地用端子４が、また各信号用導電体９ａ，９ｂの入力部位Ａには各入力端子２ａ，２ｂが、また各信号用導電体９ａ，９ｂの出力部位Ｂには各出力端子３ａ，３ｂが、コイル部５の構成と同様にして、それぞれ接続されている。また、帯状導電体１０ｃは帯状導電体１０ｂと接続され、帯状導電体１０ｄは帯状導電体１０ａと接続されている。
【００５４】
コイル部４５は、上記のように互いに重ねられた各帯状絶縁体７ａ，７ｂ、および各導電体８，９，１０を、図１１において矢印で示すように、各導電体８，９，１０における同図中の右端側（一端側）を巻き始めとして、かつ各信号用導電体９に対して各接地用導電体８が外側になるように巻回することにより、図１に示すように、全体として中心部に空隙Ｈが形成された円筒状に形成されている。磁性コア６は、この空隙Ｈ内に装着されて、コイル部４５の中心部に配設されている。この場合、各入力部位Ａ（入力端子２の引出し部位）、各出力部位Ｂ（出力端子３の引出し部位）、および接地部位Ｃ（接地用端子４の引出し部位）の位置は、図２に示すように、フィルタ素子１と同一に規定されている。
【００５５】
（第６の最良の形態）
次に、本形態に係るフィルタ素子５１について、図４，５，１２を参照して説明する。なお、フィルタ素子５１はフィルタ素子１１をベースとしているため、多くの構成がフィルタ素子１１の構成と共通する。したがって、フィルタ素子１１と同一の構成については同一の符号を付して、重複する説明を省略する。
【００５６】
フィルタ素子５１は、図４に示すように、一対の入力端子２ａ，２ｂ、一対の出力端子３ａ，３ｂ、接地用端子４、コイル部５５および磁性コア６を備えて構成されて、分布定数型のノイズフィルタ（低域通過型のコモンモードフィルタ）として機能する。
【００５７】
コイル部５５は、図１２に示すように、帯状絶縁体７ａ，７ｂ、接地用導電体８ａ，８ｂ、信号用導電体９ａ，９ｂ、および帯状導電体１０ａ，１０ｂ，１０ｃ，１０ｄを備えている。各信号用導電体９および各帯状導電体１０ａ，１０ｂは、帯状絶縁体７ａの幅方向において互いに離間して、かつ平行な状態で、帯状絶縁体７ａの上面に並設されている。また、各信号用導電体９は、相互間で各帯状導電体１０ａ，１０ｂを挟むようにして配設されている。帯状絶縁体７ｂは、帯状絶縁体７ａとの間で各信号用導電体９および各帯状導電体１０ａ，１０ｂを挟み込むようにして帯状絶縁体７ａの上に重ねられている。各接地用導電体８および各帯状導電体１０ｃ，１０ｄは、帯状絶縁体７ｂの幅方向において互いに離間して、かつ平行な状態で、帯状絶縁体７ｂの上面に並設されている。この場合、接地用導電体８ａは帯状絶縁体７ｂを介して信号用導電体９ａと対向し、接地用導電体８ｂは帯状絶縁体７ｂを介して信号用導電体９ｂと対向するように配設されている。また、帯状導電体１０ｃは帯状絶縁体７ｂを介して帯状導電体１０ａと対向し、帯状導電体１０ｄは帯状絶縁体７ｂを介して帯状導電体１０ｂと対向するように配設されている。また、各接地用導電体８の接地部位Ｃには接地用端子４が、また各信号用導電体９ａ，９ｂの入力部位Ａには各入力端子２ａ，２ｂが、また各信号用導電体９ａ，９ｂの出力部位Ｂには各出力端子３ａ，３ｂが、コイル部１５の構成と同様にして、それぞれ接続されている。また、帯状導電体１０ｃは帯状導電体１０ｂと接続され、帯状導電体１０ｄは帯状導電体１０ａと接続されている。
【００５８】
コイル部５５は、このように互いに重ねられた各帯状絶縁体７ａ，７ｂ、および各導電体８，９，１０を、図１２において矢印で示すように、各導電体８，９，１０における同図中の左端側（他端側）を巻き始めとして、かつ各信号用導電体９に対して各接地用導電体８が内側になるように巻回することにより、図４に示すように、全体として中心部に空隙Ｈが形成された円筒状に形成されている。磁性コア６は、この空隙Ｈ内に装着されて、コイル部５５の中心部に配設されている。この場合、各入力部位Ａ（入力端子２の引出し部位）、各出力部位Ｂ（出力端子３の引出し部位）、および接地部位Ｃ（接地用端子４の引出し部位）の位置は、図５に示すように、フィルタ素子１１と同一に規定されている。
【００５９】
（第７の最良の形態）
次に、本形態に係るフィルタ素子６１について、図７，８，１１を参照して説明する。なお、フィルタ素子６１は、そのコイル部６５の構成についてはフィルタ素子４１のコイル部４５と共通し、各入力部位Ａ（入力端子２の引出し部位）、各出力部位Ｂ（出力端子３の引出し部位）、および接地部位Ｃ（接地用端子４の引出し部位）の位置についてのみフィルタ素子２１と同一に規定されている。このため、フィルタ素子６１では、多くの構成がフィルタ素子４１の構成と共通する。したがって、フィルタ素子４１と同一の構成については同一の符号を付して、重複する説明を省略する。
【００６０】
フィルタ素子６１は、図７に示すように、一対の入力端子２ａ，２ｂ、一対の出力端子３ａ，３ｂ、接地用端子４、コイル部６５および磁性コア６を備えて構成されて、分布定数型のノイズフィルタ（低域通過型のコモンモードフィルタ）として機能する。この場合、コイル部６５は、図１１に示すように、コイル部４５と同一の構成要素を備えている。また、コイル部６５は、互いに重ねられた各帯状絶縁体７ａ，７ｂ、および各導電体８，９，１０を、コイル部４５と同様にして巻回することにより、図７に示すように、全体として中心部に空隙Ｈが形成された円筒状に形成されている。また、上記したように、各入力部位Ａ等（各入力端子２等の引出し部位）については、図７，８に示すように、フィルタ素子２１と同一に規定されている。
【００６１】
（第８の最良の形態）
次に、本形態に係るフィルタ素子７１について、図９，１０，１２を参照して説明する。なお、フィルタ素子７１は、そのコイル部７５の構成についてはフィルタ素子５１のコイル部５５と共通し、各入力部位Ａ（入力端子２の引出し部位）、各出力部位Ｂ（出力端子３の引出し部位）、および接地部位Ｃ（接地用端子４の引出し部位）の位置についてのみフィルタ素子３１と同一に規定されている。このため、フィルタ素子７１では、多くの構成がフィルタ素子５１の構成と共通する。したがって、フィルタ素子５１と同一の構成については同一の符号を付して、重複する説明を省略する。
【００６２】
フィルタ素子７１は、図９に示すように、一対の入力端子２ａ，２ｂ、一対の出力端子３ａ，３ｂ、接地用端子４、コイル部７５および磁性コア６を備えて構成されて、分布定数型のノイズフィルタ（低域通過型のコモンモードフィルタ）として機能する。この場合、コイル部７５は、図１２に示すように、コイル部５５と同一に構成要素を備えている。また、コイル部７５は、互いに重ねられた各帯状絶縁体７ａ，７ｂ、および各導電体８，９，１０を、コイル部５５と同様にして巻回することにより、図９に示すように、全体として中心部に空隙Ｈが形成された円筒状に形成されている。また、上記したように、各入力端子２等の引出し部位については、図９，１０に示すように、フィルタ素子３１と同一に規定されている。
【００６３】
上記した各フィルタ素子２１，３１，４１，５１，６１，７１では、フィルタ素子１，１１と同様にして、帯状導電体１０ａ，１０ｃおよび帯状導電体１０ｂ，１０ｄによってそれぞれ形成される静電容量の大きな２つのコンデンサを各信号用導電体９ａ，９ｂ間に接続することができる。したがって、各信号用導電体９ａ，９ｂ間の高周波信号に対するインピーダンスを低下させることができるため、広い周波数帯域に亘ってコモンモードノイズを良好に減衰させることができる。また、各信号用導電体９ａ，９ｂにおける各帯状導電体１０ａ，１０ｂと相互接続された端部側を出力部位Ｂとしたことにより、各信号用導電体９ａ，９ｂにおける各帯状導電体１０ａ，１０ｂと相互接続されていない端部側を出力部位Ｂとする構成と比較して、インピーダンスのバランスを崩れにくくすることができる結果、広い周波数帯域に亘ってノイズ成分を一層良好に減衰させることができる。したがって、例えば、図１４に示すように、これらの各フィルタ素子２１〜７１をスイッチング電源における交流入力段のノイズフィルタとして使用することにより、スイッチング電源の出力インピーダンスが時間的に変動したり、負荷のインピーダンスが変動したりした場合においても、コモンモードノイズを安定して良好に減衰させることができる。また、各フィルタ素子２１〜７１によれば、各信号用導電体９の入力部位Ａ（各入力端子２の引出し部位）、各信号用導電体９の出力部位Ｂ（各出力端子３の引出し部位）、および接地用導電体８の接地部位Ｃ（接地用端子４の引出し部位）の位置を上記のように規定したことにより、所定の周波数帯域において大きな減衰量を確保することができる結果、優れた減衰特性を有するコモンモード用のフィルタ素子を実現することができる。
【００６４】
なお、本発明は、上記した構成に限定されない。例えば、上述した各フィルタ素子１〜７１では、帯状絶縁体７ｂを挟んで互いに対向する帯状導電体１０ａおよび帯状導電体１０ｃと、帯状導電体１０ｂおよび帯状導電体１０ｄとを、各信号用導電体９および各接地用導電体８とほぼ同じ長さで、同じ幅に規定したが、これに限定されるものではなく、任意の長さで、任意の幅に規定することができる。また、各帯状導電体１０ａ〜１０ｄの平面形状は、長尺な長方形（帯状）に限定されず、楕円形や長円形等、種々の形状にすることができる。
【００６５】
また、上述した各フィルタ素子１〜７１では、入力端子２、出力端子３および接地用端子４として、棒状の導電体を用いて接地や信号の入出力を行うようにしているが、可撓性を有する配線ケーブルを用いることもできる。また、各コイル部５〜７５に形成された空隙Ｈの内部に磁性コア６を装着して各接地用導電体８および各信号用導電体９の結合度合いや分布インダクタンスの値を向上させることによって減衰特性を向上させた例について説明したが、磁性コア６に代えてポットコア内にコイル部５〜７５を装着する構成を採用することもできる。この構成によれば、各接地用導電体８および各信号用導電体９の結合度合いや分布インダクタンスの値をさらに向上させつつ、外部磁界のコイル部５〜７５に対する影響を低減させることができる。また、ポットコアに代えて、ＥＩ型コアやＥＥ型コアをコイル部５〜７５に装着することもできる。また、コイル部５〜７５に形成された空隙Ｈの内部に磁性体を装着しない構成（空芯構造）を採用することもできる。
【００６６】
また、上記した各フィルタ素子１〜７１では、各入力端子２、各出力端子３および接地用端子４を、コイル部５〜７５の同一端面（図１，４，７，９では上端面）のみから引き出す構成を採用したが、入力端子２ａ，２ｂ、出力端子３ａ，３ｂおよび接地用端子４は、コイル部の中心軸Ｏを含む平面Ｌ上から引き出されていれば良いため、各入力端子２、各出力端子３および接地用端子４の内の一部の端子を他の端子とは逆の端面（例えば図１では下端面）から引き出す構成を採用することもできる。また、上記した各フィルタ素子１〜７１では、各信号用導電体９の入力部位Ａ（各入力端子２の引出し部位）、各信号用導電体９の出力部位Ｂ（各出力端子３の引出し部位）、および接地用導電体８の接地部位Ｃ（接地用端子４の引出し部位）の位置を、コイル部の中心軸Ｏを含む平面Ｌ上に配設する構成を採用したが、全ての端子が平面Ｌ上に厳密には配設されずに、平面Ｌから若干ずれた位置に各端子が配置されていても良い。この場合、上記した各フィルタ素子１〜７１と比較して減衰特性が若干低下するものの、従来のフィルタ素子と比較して、依然として十分に良好な減衰特性を示す。言い替えれば、各信号用導電体９の入力部位Ａ（各入力端子２の引出し部位）、各信号用導電体９の出力部位Ｂ（各出力端子３の引出し部位）、および接地用導電体８の接地部位Ｃ（接地用端子４の引出し部位）の位置を、コイル部の中心軸Ｏを含む平面Ｌ上に配設することにより、所定の周波数帯域においてさらに大きな減衰量を確保することができる結果、一層優れた最良の減衰特性を有するコモンモード用のフィルタ素子を実現することができる。また、上記した各フィルタ素子１〜７１では、出力端子３ａ，３ｂ側において、帯状導電体１０ｃを信号用導電体９ｂおよび帯状導電体１０ｂのいずれかと接続し、帯状導電体１０ｄを信号用導電体９ａおよび帯状導電体１０ａのいずれかと接続しているが、入力端子２ａ，２ｂ側において接続することもできる。また、上記した各フィルタ素子１〜７１では、入力端子２、出力端子３および接地用端子４を、対応する信号用導電体９および接地用導電体８の最内周部（巻始めの１ターンに含まれる部位）または最外周部（巻き終わりの１ターンに含まれる部位）に接続したが、各端子を接続する部位はこれに限定されずに、例えば、対応する信号用導電体９および接地用導電体８の内周部（巻始めの数ターンに含まれる部位）または外周部（巻き終わりの数ターンに含まれる部位）に接続することもできる。
【００６７】
また、上記した各フィルタ素子１〜７１では、帯状絶縁体７ａが最も外側になるように各コイル部５〜７５を形成したが、各導電体８等と各帯状絶縁体７等との位置を入れ替えることにより、各導電体８等の最外周部がコイル部の最外周に位置するように構成することもできる。このようにして構成したフィルタ素子によれば、コイル部の最外周に接地用導電体８の最外周部が露出するため、例えば接地用導電体８をプリント基板のグランド電位に直接接続することで確実かつ容易に接地することが可能となる。一例として、図１３に示すフィルタ素子１Ａは、フィルタ素子１のコイル部５をベースとして、接地用導電体８ａ，８ｂおよび帯状導電体１０ｃ，１０ｄが最外周に位置するように構成されたコイル部５Ａを備えて構成されている。このフィルタ素子１Ａでは、図３において、帯状絶縁体７ａと各導電体８ａ，８ｂ，１０ｃ，１０ｄの位置を逆にし、かつ帯状絶縁体７ｂと各導電体９ａ，９ｂ，１０ａ，１０ｂとの位置を逆にした状態で、同図中の右端側を巻始め端としてこれらを巻回することによってコイル部５Ａが形成されている。また、図示はしないが、フィルタ素子１Ａと同様にして、フィルタ素子１１のコイル部１５をベースとしてフィルタ素子を構成したときには、各信号用導電体９ａ，９ｂの最外周部がコイル部の最外周に位置する構成となる。
【実施例】
【００６８】
次に、実施例を挙げて本発明を詳細に説明する。
【００６９】
（実施例１、実施例２、比較例１）
幅を３．１ｍｍに設定した一対の接地用導電体８ａ，８ｂ、幅を３．０ｍｍに設定すると共に各接地用導電体８と同一長で、かつ同一厚に設定した一対の信号用導電体９ａ，９ｂ、幅を３．１ｍｍに設定すると共に各接地用導電体８と同一長で、かつ同一厚に設定した４つの帯状導電体１０ａ〜１０ｄ、厚みを５０μｍに規定したポリイミド絶縁シートで形成された一対の帯状絶縁体７ａ，７ｂを使用して、各信号用導電体９に対して各接地用導電体８が外側となり、かつ巻数が３５ターンのコイル部５を作製すると共に、作製したコイル部５をＥＩ型コアに装着してフィルタ素子１に対応する実施例１とした。この状態において、各信号用導電体９のインダクタンスはそれぞれ１０ｍＨであり、対応する接地用導電体８との間に存在するキャパシタンスの総容量は４５００ｐＦであった。
【００７０】
また、実施例１の構成をベースとして、各接地用導電体８と帯状導電体１０ｃ，１０ｄとの配置を入れ替えると共に、各信号用導電体９と帯状導電体１０ａ，１０ｂとの配置を入れ替えることにより、フィルタ素子４１に対応する実施例２とした。
【００７１】
また、実施例１の構成から、帯状導電体１０ａ〜１０ｄを取り除くことにより、フィルタ素子１に対応する比較例１とした。
【００７２】
次いで、実施例１，２および比較例１に係るフィルタ素子を、図１４に示すように、疑似電源回路網（ＬＩＳＮ：Line Impedance Stabilization Network）１０３とスイッチング電源１００とを結ぶＡＣラインに介装した状態での各フィルタ素子についてのノイズ減衰特性（電源端子妨害電圧特性）をスペクトラムアナライザ１０２で測定した。なお、このときの負荷１０４は５Ｗに設定した。図１５は実施例１についての電源端子妨害電圧特性図であり、図１６は実施例２についての電源端子妨害電圧特性図であり、図１７は比較例１についての電源端子妨害電圧特性図である。
【００７３】
図１５，１６，１７に示す各電源端子妨害電圧特性図によれば、フィルタ素子１およびフィルタ素子４１のいずれも、比較例１に係るフィルタ素子と比較して、０．２ＭＨｚ、０．４ＭＨｚおよび０．６ＭＨｚのノイズ成分が５ｄＢμＶ以上減衰できることが確認できる。また、比較例１に係るフィルタ素子では、３ＭＨｚ〜１０ＭＨｚの高い周波数帯域に含まれるノイズ成分が３０ｄＢμＶを超えているが、フィルタ素子１およびフィルタ素子４１では、図１５，１６に示すように、３ＭＨｚ〜１０ＭＨｚの高い周波数帯域に含まれるノイズ成分を３０ｄＢμＶ未満に減衰できることが確認できる。
【図面の簡単な説明】
【００７４】
【図１】フィルタ素子１（４１）の構成を示す斜視図である。
【図２】各入力端子２、各出力端子３および接地用端子４の各引出し部位Ａ，Ｂ，Ｃを示すフィルタ素子１（４１）を一方の端面から見た平面図である。
【図３】フィルタ素子１（２１）の構成を示すために、コイル部５（２５）を巻き解いた状態の斜視図である。
【図４】フィルタ素子１１（５１）の構成を示す斜視図である。
【図５】各入力端子２、各出力端子３および接地用端子４の各引出し部位Ａ，Ｂ，Ｃを示すフィルタ素子１１（５１）を一方の端面から見た平面図である。
【図６】フィルタ素子１１（３１）の構成を示すために、コイル部１５（３５）を巻き解いた状態の斜視図である。
【図７】フィルタ素子２１（６１）の構成を示す斜視図である。
【図８】各入力端子２、各出力端子３および接地用端子４の各引出し部位Ａ，Ｂ，Ｃを示すフィルタ素子２１（６１）を一方の端面から見た平面図である。
【図９】フィルタ素子３１（７１）の構成を示す斜視図である。
【図１０】各入力端子２、各出力端子３および接地用端子４の各引出し部位Ａ，Ｂ，Ｃを示すフィルタ素子３１（７１）を一方の端面から見た平面図である。
【図１１】フィルタ素子４１（６１）の構成を示すために、コイル部４５（６５）を巻き解いた状態の斜視図である。
【図１２】フィルタ素子５１（７１）の構成を示すために、コイル部５５（７５）を巻き解いた状態の斜視図である。
【図１３】フィルタ素子１Ａの構成を示す斜視図である。
【図１４】実施例１，２に係るフィルタ素子１，４１および比較例１に係るフィルタ素子の周波数と電源端子妨害電圧との関係を測定する測定系を示す回路図である。
【図１５】図１４の測定系によって測定した実施例１に係るフィルタ素子１の周波数と電源端子妨害電圧との関係を示す電源端子妨害電圧特性図である。
【図１６】図１４の測定系によって測定した実施例２に係るフィルタ素子４１の周波数と電源端子妨害電圧との関係を示す電源端子妨害電圧特性図である。
【図１７】図１４の測定系によって測定した比較例１に係るフィルタ素子の周波数と電源端子妨害電圧との関係を示す電源端子妨害電圧特性図である。
【符号の説明】
【００７５】
１，１１，２１，３１，４１，５１，６１，７１  フィルタ素子
２ａ，２ｂ  入力端子
３ａ，３ｂ  出力端子
４  接地用端子
５，１５，２５，３５，４５，５５，６５，７５  コイル部
７ａ，７ｂ  帯状絶縁体
８ａ，８ｂ  接地用導電体
９ａ，９ｂ  信号用導電体
１０ａ，１０ｂ，１０ｃ，１０ｄ  帯状導電体
Ａ  入力部位
Ｂ  出力部位
Ｃ  接地部位
【図１】
2006148499.tif 000003
【図２】
2006148499.tif 000004
【図３】
2006148499.tif 000005
【図４】
2006148499.tif 000006
【図５】
2006148499.tif 000007
【図６】
2006148499.tif 000008
【図７】
2006148499.tif 000009
【図８】
2006148499.tif 000010
【図９】
2006148499.tif 000011
【図１０】
2006148499.tif 000012
【図１１】
2006148499.tif 000013
【図１２】
2006148499.tif 000014
【図１３】
2006148499.tif 000015
【図１４】
2006148499.tif 000016
【図１５】
2006148499.tif 000017
【図１６】
2006148499.tif 000018
【図１７】
2006148499.tif 000019